(57)【要約】【課題】光ディスクとクランプハブとの間にダスト等が入り込まないよう清浄する。【解決手段】  取付プレート１３１にはクリーニングユニットプレート１２９が取り付けられている。クリーニングユニットプレート１２９の上面にはハブクリーナプーリ１２１とクリーニングプーリ１２３とが動力伝達ベルト１２２を介して接続されている。クリーニングプーリ１２３はローディング動作に伴って回転する。クリーニングユニットプレート１２９の上面にはハブクリーナプーリ１２１の回転と連動するハブクリーナ１４１が設けられている。ハブクリーナ１４１の下面には不織布などのクリーニング素材が設けられており、これによりクランプハブの上面を洗浄する。ディスクローディング時にはリリースバネ１３２の働きによりローディング動作に伴う動力の伝達を解除する。【選択図】図１
2007095171.tif 000002
【特許請求の範囲】
【請求項１】
記録媒体が装着される装着部を備える記録媒体装着手段と、
前記装着部に対して押し当てられて前記装着部を清浄する清浄手段と
を具備することを特徴とする記録媒体駆動装置。
【請求項２】
前記清浄手段は前記装着部に付着した異物を拭き取ることを特徴とする請求項１記載の記録媒体駆動装置。
【請求項３】
ディスク状記録媒体と接触するクランプハブを備えて前記ディスク状記録媒体をクランプするクランプ手段と、
前記クランプハブに対して押し当てられて前記クランプハブを清浄するハブクリーナ手段と
を具備することを特徴とするディスク装置。
【請求項４】
前記ハブクリーナ手段は、前記クランプハブに付着した異物を拭き取ることを特徴とする請求項３記載のディスク装置。
【請求項５】
前記ハブクリーナ手段は、前記クランプハブとの接触面に不織布を備えることを特徴とする請求項４記載のディスク装置。
【請求項６】
前記クランプ手段に前記ディスク状記録媒体をローディングするローディング手段と、
前記ハブクリーナ手段と連動して回転自在の第１の滑車と、
前記ローディング手段によるローディング動作に伴って回転自在であって前記第１の滑車にその回転による動力を伝達する第２の滑車と、
前記ディスク状記録媒体が前記クランプ手段にクランプされる際に前記第１の滑車に対する前記ローディング動作に伴う動力の伝達を解除する解除手段と
をさらに具備することを特徴とする請求項４記載のディスク装置。
【請求項７】
前記解除手段は、前記ディスク状記録媒体を検知すると前記ローディング動作に伴う前記第２の滑車の回転を解除するリリースバネを備えることを特徴とする請求項６記載のディスク装置。
【請求項８】
前記解除手段は、前記ディスク状記録媒体を検知すると前記第２の滑車を移動させて前記第２の滑車から前記第１の滑車に対する動力の伝達を解除するリリースモータを備えることを特徴とする請求項６記載のディスク装置。
【請求項９】
前記第１の滑車と前記第２の滑車との間はベルトにより接続されて互いの動力が伝達されることを特徴とする請求項６記載のディスク装置。
【請求項１０】
前記第１の滑車と前記第２の滑車とが直接接触することにより互いの動力が伝達されることを特徴とする請求項６記載のディスク装置。
【請求項１１】
前記第１の滑車および前記第２の滑車は周囲にゴムを備えることを特徴とする請求項１０記載のディスク装置。
【請求項１２】
前記第１の滑車および前記第２の滑車は周囲に歯車を備えることを特徴とする請求項１０記載のディスク装置。
【請求項１３】
前記ハブクリーナ手段を縦方向に回転自在に支持する縦回転支持手段をさらに具備することを特徴とする請求項４記載のディスク装置。
【請求項１４】
前記ハブクリーナ手段が２分割され、
前記ハブクリーナ手段のそれぞれを縦方向に回転自在に支持する縦回転支持手段と、
前記ハブクリーナ手段のそれぞれを横方向に回転自在に支持する横回転支持手段と、
前記ハブクリーナ手段を横方向に互いに引き寄せる引寄せ手段と
をさらに具備することを特徴とする請求項４記載のディスク装置。
【請求項１５】
前記ディスク状記録媒体が前記クランプ手段にクランプされた状態において前記ディスク状記録媒体に対して光学的に読み書きを行う光学ピックアップ手段をさらに具備し、
前記光学ピックアップ手段は、対物レンズとして開口数が少なくとも１のレンズを備えることを特徴とする請求項４記載のディスク装置。
【請求項１６】
前記光学ピックアップ手段は、対物レンズとして固体浸レンズ（ＳＩＬ）を備えることを特徴とする請求項１５記載のディスク装置。
【発明の詳細な説明】
【技術分野】
【０００１】
本発明は、記録媒体駆動装置に関し、特にディスク状記録媒体を駆動するディスク装置に関する。
【背景技術】
【０００２】
記録媒体駆動装置では、記録媒体上に記録されているデータを読み出し、または、新たなデータを記録媒体上に書き込むために、記録媒体との間で接触もしくは非接触によるアクセスが行われる。例えば、光学式の記録媒体である光ディスクの場合、スピンドルモータにクランプされた光ディスクに対して、レンズを搭載した光学ヘッドによるアクセスが行われる。
【０００３】
光学ヘッドを用いる記録媒体駆動装置においては、高容量および高密度化が進展すると、データの読み書きに使用される対物レンズと記録媒体との間の間隔（ギャップ）は狭くなっていく傾向がある。ＣＤ（Compact Disc）においては記録媒体の厚さ１．２ミリメートルをレーザで透過させていたが、ＤＶＤ（Digital Versatile Disk）では貼り合わせメディアを用いて厚さ０．６ミリメートルを透過させている。また、ブルーレイディスク（Blu-ray Disc）では０．１ミリメートルの保護層を透過させて記録層に到達させている。この場合の記録媒体と対物レンズの距離は、数百マイクロメートルとなっている。
【０００４】
さらに、高容量および高密度を実現するものとして、固体浸レンズ（ＳＩＬ：Solid Immersion Lens）と呼ばれる対物レンズを利用した近接場光によるニアフィールド方式が提唱されている。このニアフィールド方式を利用した記録媒体駆動装置では、対物レンズの屈折率ｎおよび開口数ＮＡ（Numerical Aperture）を大きくすることによって、対物レンズと記録媒体の距離が離れているときは入射した光が全て戻ってしまう（全反射）が、記録媒体との距離が近くなったときには僅かにレーザ光が漏れ出すという性質を利用している。ＳＩＬを含む対物レンズの場合、開口数ＮＡが１以上であり、この方式で８０ギガバイト／インチが達成されている。
【０００５】
このような光学ヘッドを用いる記録媒体駆動装置においては、記録媒体が着脱可能（リムーバブル）になっており、スピンドルモータにクランプした後の記録媒体の面ぶれが問題となる場合がある。この面ぶれ量は、スピンドルモータの軸の上下動、スピンドルモータの記録媒体取り付け部分であるクランプハブ部分の加工精度や、記録媒体の反り等、様々な要因から生じる。その一因として、空気中の埃（ダスト）等がクランプハブ部分に付着することによって記録媒体の取り付け位置がずれて、面ぶれを生じることも考えられる。
【０００６】
ＣＤやＤＶＤ等の比較的小容量の記録媒体においては、記録媒体と軸との間に±４０μｍといった大きめの面ぶれがあっても、対物レンズの載っているアクチュエータに設けられているフォーカシングサーボによって面ぶれによる影響を吸収することも可能である。しかしながら、ニアフィールド方式では、全反射を避けるために記録媒体と対物レンズとの距離を１００ナノメートル程度以下にしなければならず、また、さらに信号を取り出すためには少なくとも数十ナノメートルという極めて狭いギャップを維持することが必要となっている。したがって、記録媒体と対物レンズとの間の距離が僅かにずれることにより両者が衝突するおそれがある。このように、特にニアフィールド方式においては、面ぶれによる影響は顕著である。
【０００７】
これに対し、クランプハブと永久磁石との間に塵が付着した場合を想定して、永久磁石を板バネによってクランプハブ方向に押し上げることによってクランプ不良を回避しようとするディスククランプ機構が提案されている（例えば、特許文献１参照。）。
【特許文献１】特開平７−２３０６５５号公報（図１）
【発明の開示】
【発明が解決しようとする課題】
【０００８】
しかしながら、上述の従来技術では塵や埃を取り除くことはできず、想定を超える塵が付着した場合には面ぶれを回避することができない。従来の光学ヘッドを用いる記録媒体駆動装置では、高密度になるほど記録媒体と対物レンズの距離が近くなり、面ぶれ量が±１０μｍ以下に抑えられないとデータを正常に読み書きすることができないといった問題がある。また、比較的低容量の着脱可能記録媒体の駆動装置においても、面ぶれ量が大きいとアクチュエータのワイヤにかかる負担が大きくなり、アクチュエータの寿命が短くなるという問題がある。このように、面ぶれ量が大きいと、データ読出しまたは書込みの際のエラーの原因となり、また、記録媒体自体に悪影響を与えるおそれもある。
【０００９】
上述のように、面ぶれ量は様々な要因から引き起こされ得るが、特に着脱可能記録媒体を扱う場合には、スピンドルモータのクランプハブと記録媒体との間のクランプエリアにダスト等を挟むことによって面ぶれ量は格段に大きくなるおそれがある。特にクランプハブ部分は上を向いているため、ダストが溜まりやすいといった問題がある。
【００１０】
そこで、本発明は、着脱可能記録媒体との間の取り付け部分において、ダスト等が入り込まないように清浄することを目的とする。
【課題を解決するための手段】
【００１１】
本発明は、上記課題を解決するためになされたものであり、その第１の側面は、記録媒体が装着される装着部を備える記録媒体装着手段と、上記装着部に対して押し当てられて上記装着部を清浄する清浄手段とを具備することを特徴とする記録媒体駆動装置である。これにより、記録媒体装着手段の装着部に押し当てられた清浄手段によって装着部が清浄されるという作用をもたらす。
【００１２】
また、この第１の側面において、上記清浄手段は清浄動作の一環として上記装着部に付着した異物を拭き取るように構成することができる。
【００１３】
また、本発明の第２の側面は、ディスク状記録媒体と接触するクランプハブを備えて上記ディスク状記録媒体をクランプするクランプ手段と、上記クランプハブに対して押し当てられて上記クランプハブを清浄するハブクリーナ手段とを具備することを特徴とするディスク装置である。これにより、クランプ手段のクランプハブに押し当てられたハブクリーナ手段によってクランプハブが清浄されるという作用をもたらす。
【００１４】
また、この第２の側面において、上記ハブクリーナ手段は清浄動作の一環として上記クランプハブに付着した異物を拭き取るように構成することができる。そのために、上記ハブクリーナ手段は、上記クランプハブとの接触面に例えば円形のクリーニング素材を疎なる。このクリーニング素材としては、通常の布であっても一定の効果が期待できるが、布に含まれるダストなどによる影響を回避するためには不織布であることが望ましい。
【００１５】
また、この第２の側面において、上記クランプ手段に上記ディスク状記録媒体をローディングするローディング手段と、上記ハブクリーナ手段と連動して回転自在の第１の滑車と、上記ローディング手段によるローディング動作に伴って回転自在であって上記第１の滑車にその回転による動力を伝達する第２の滑車と、上記ディスク状記録媒体が上記クランプ手段にクランプされる際に上記第１の滑車に対する上記ローディング動作に伴う動力の伝達を解除する解除手段とをさらに具備するようにしてもよい。これにより、ローディング動作に伴う回転による動力が第２の滑車から第１の滑車に伝達され、ハブクリーナ手段が回転することによりクランプハブが清浄されるという作用をもたらす。また、解除手段によって、ローディング動作に伴う動力の伝達がクランプ時に解除されるという作用をもたらす。この解除手段として、上記ディスク状記録媒体を検知すると上記ローディング動作に伴う上記第２の滑車の回転を解除するリリースバネや、上記ディスク状記録媒体を検知すると上記第２の滑車を移動させて上記第２の滑車から上記第１の滑車に対する動力の伝達を解除するリリースモータを備えることができる。
【００１６】
また、この第２の側面において、上記第１の滑車と上記第２の滑車との間はベルトにより接続されて互いの動力を伝達してもよく、また、上記第１の滑車と上記第２の滑車とが直接接触することにより互いの動力を伝達してもよい。特に後者の場合、上記第１の滑車および上記第２の滑車は周囲にゴムや歯車を備えることが望ましい。
【００１７】
また、この第２の側面において、上記ハブクリーナ手段を縦方向に回転自在に支持する縦回転支持手段をさらに具備することができる。これにより、重力によってハブクリーナ手段をクランプハブに押し当てるという作用をもたらす。
【００１８】
また、この第２の側面において、上記ハブクリーナ手段が２分割され、上記ハブクリーナ手段のそれぞれを縦方向に回転自在に支持する縦回転支持手段と、上記ハブクリーナ手段のそれぞれを横方向に回転自在に支持する横回転支持手段と、上記ハブクリーナ手段を横方向に互いに引き寄せる引寄せ手段とをさらに具備するようにしてもよい。これにより、重力によってハブクリーナ手段をクランプハブに押し当てるとともに、クランプ手段がクランプ動作のためにせり上がる際にハブクリーナ手段を左右に開いてクランプ手段を逃がすという作用をもたらす。
【００１９】
また、この第２の側面において、上記ディスク状記録媒体が上記クランプ手段にクランプされた状態において上記ディスク状記録媒体に対して光学的に読み書きを行う光学ピックアップ手段をさらに具備し、上記光学ピックアップ手段は対物レンズとして開口数が少なくとも１のレンズを備えるようにすることができる。このとき、上記光学ピックアップ手段は、対物レンズとして固体浸レンズ（ＳＩＬ）を備えることができる。このような対物レンズでは、光学ディスクと対物レンズとの間の距離が少なくとも数十ナノメートルという極めて狭いギャップになるため、本発明におけるハブクリーナ手段による清浄が特に有用である。
【発明の効果】
【００２０】
本発明によれば、着脱可能記録媒体との間の取り付け部分において、ダスト等が入り込まないようにするという優れた効果を奏し得る。
【発明を実施するための最良の形態】
【００２１】
次に本発明の実施の形態について図面を参照して詳細に説明する。
【００２２】
図１は、本発明の実施の形態におけるディスク装置の第一の構成例を示す図である。この例では、トレイガイド１８１によってディスクトレイ１１０が支持されており、さらにトレイガイド１８１の上部には取付プレート１３１が設けられている。なお、トレイガイド１８１はディスクトレイ１１０の両側に存在するが、この図では手前側については説明の便宜上、省略している。
【００２３】
取付プレート１３１の上面にはクリーニングユニットプレート１２９が設けられており、このクリーニングユニットプレート１２９にはハブクリーナプーリ１２１およびクリーニングプーリ１２３が備えられている。ハブクリーナプーリ１２１とクリーニングプーリ１２３との間には動力伝達ベルト１２２が設けられており、両者間の動力を伝達するようになっている。
【００２４】
取付プレート１３１の下面にはハブクリーナ１４１が設けられている。このハブクリーナ１４１は、ハブクリーナプーリ１２１の回転と連動するようになっている。ハブクリーナ１４１の下面は、クランプハブの上面と相対するように配置され、クランプハブと接することにより清浄動作を行う。
【００２５】
後述するように、取付プレート１３１の下面にはクリーニングプーリ１２３と連動する回転車が設けられており、この回転車がディスクトレイ１１０のローディング動作に伴って回転することによってハブクリーナプーリ１２１も回転し、これに連動してハブクリーナ１４１が回転する。このようにして回転するハブクリーナ１４１がクランプハブの上面と接することにより、クランプハブの上面に付着したダスト（埃）などが拭き取られる。なお、ハブクリーナ１４１が回転していない状態であっても、クランプハブが回転している状態であれば両者が接することにより同様の清浄効果を得ることができる。
【００２６】
クリーニングユニットプレート１２９にはリリースバネ１３２が設けられている。このリリースバネ１３２は、ディスクトレイ１１０上のディスクを検知して、クランプハブへの装着の際に回転車の回転を解除するように、クリーニングユニットプレート１２９を上部に持ち上げるものである。このリリースバネ１３２による動作の仕組みについては後述する。
【００２７】
図２は、本発明の実施の形態におけるクランプ１６０の断面構成例を示す図である。クランプハブ１６１は記録媒体としての光ディスクが取り付けられる部分である。クランプハブ１６１の中央部にはセンターマグネット１６３が設けられており、これにより光ディスクは（図示しない）上クランプとの間で上下から挟まれてクランプされる。
【００２８】
クランプハブ１６１の下部には回転動作を行うローター１６４が設けられている。このローター１６４は、モータハウジング１６５内のスピンドルモータによって回転駆動される。
【００２９】
クランプハブ１６１は、金属またはプラスティックを主な素材としており、光ディスク未装着時には上向きにむき出しの状態となっている。従って、その上部にはダスト等が付着し易くなっている。また、特に光ディスクを装着する際には外部からの空気が入り込むため、これに伴いダスト等がクランプハブ１６１と光ディスクの間に挟みこまれるおそれがある。そこで、本発明の実施の形態では、ハブクリーナ１４１をクランプハブ１６１の上面に配置することにより、クランプハブ１６１の上部のダスト等を拭き取るように構成している。
【００３０】
図３は、本発明の実施の形態におけるディスク装置の第一の構成例による取付プレート１３１の下面を示す斜視図である。取付プレート１３１の下面には、ハブクリーナプーリ１２１の回転と連動するハブクリーナ１４１と、クリーニングプーリ１２３と連動する回転車１４３とが備えられている。ハブクリーナ１４１のクランプハブ１６１と接する面には、例えば円形のクリーニング素材が設けられる。このクリーニング素材としては、通常の布であっても一定の効果が期待できるが、布に含まれるダストなどによる影響を回避するためには不織布であることが望ましい。
【００３１】
図４は、本発明の実施の形態におけるディスク装置の第一の構成例によるディスクトレイ１１０の挿入方向から見た斜視図である。なお、ディスクトレイ１１０の上部には図１に示したように取付プレート１３１が配置されるが、ここでは説明の便宜上、省略している。
【００３２】
ディスクトレイ１１０には溝１１３が設けられており、ローディング動作時にこの溝１１３と接触することによって回転車１４３が回転するようになっている。これによってクリーニングプーリ１２３が回転し、さらに動力伝達ベルト１２２を介してハブクリーナプーリ１２１が回転することによってハブクリーナ１４１が回転する。このようにして回転するハブクリーナ１４１がクランプ１６０におけるクランプハブ１６１の上面と接することにより、ダストなどが拭き取られて清浄される。
【００３３】
図５は、本発明の実施の形態におけるディスク装置の第一の構成例によるリリースバネ１３２の役割を示す図である。図４（ａ）はディスククランプ前におけるディスクトレイ１１０と回転車１４３との関係を示した側面図であり、ディスクトレイ１１０の溝１１３には回転車１４３が接触している。従って、この状態でディスクトレイ１１０がローディング動作のために右方向に移動すると、これに伴って回転車１４３は回転する。
【００３４】
一方、図４（ｂ）はディスククランプ直前におけるディスクトレイ１１０と回転車１４３との関係を示した側面図である。ここでは、ローディング動作のためにディスクトレイ１１０が右方向に移動したことにより、リリースバネ１３２がディスク２００の上に乗り上げて、クリーニングユニットプレート１２９が持ち上げられた状態になっている。これにより、回転車１４３も上方へ持ち上げられ、ディスクトレイ１１０の溝１１３と接触しない状態に配置される。従って、この状態では回転車１４３の回転動作は解除され、ハブクリーナ１４１は回転車１４３による制約を受けることなく自在に回転することができる。
【００３５】
このように、本発明の実施の形態における第一の構成例によれば、ローディング動作に伴う回転車１４３の回転動作に連動するクリーニングプーリ１２３による動力を、動力伝達ベルト１２２がハブクリーナプーリ１２１に伝達し、このハブクリーナプーリ１２１に連動してハブクリーナ１４１が回転することにより、クランプハブ１６１の上面のダストなどを拭き取ることができる。また、リリースバネ１３２の働きにより、ディスククランプの際には回転車１４３の回転動作を解除することができる。
【００３６】
図６および図７は、本発明の実施の形態におけるディスク装置の第二の構成例を示す図である。この例では第一の構成例と同様の構成を備えるが、第一の構成例とは異なり、クリーニングユニットプレート１２９にはクリーニングプーリ１２３のみが備えられている。また、取付プレート１３１の上面には溝１３４が設けられており、この溝１３４に沿ってクリーニングユニットプレート１２９が平行移動できるようになっている。
【００３７】
クリーニングユニットプレート１２９には、リリースモータ１３３が設けられており、取付プレート１３１の溝１３４に沿ってクリーニングユニットプレート１２９をモータ動力によって平行移動させる。ディスククランプ前の状態では、リリースモータ１３３はクリーニングプーリ１２３がハブクリーナプーリ１２１から遠ざかる方向にクリーニングユニットプレート１２９を移動させて、動力伝達ベルト１２２による動力の伝達を有効にする。一方、ディスククランプ直前の状態では、リリースモータ１３３はクリーニングプーリ１２３がハブクリーナプーリ１２１に近づく方向にクリーニングユニットプレート１２９を移動させ、動力伝達ベルト１２２を弛ませて動力の伝達を無効にする。
【００３８】
なお、クランプ１６０のモータホルダ１６６にはモータガイドピン１６７が設けられており、ディスククランプの際にはこのモータガイドピン１６７を斜め上部に持ち上げることによってクランプ位置に据えるようになっている。この点は説明を省略したが、第一の構成例においても同様である。
【００３９】
このように、本発明の実施の形態における第二の構成例によれば、第一の構成例と同様に、クリーニングプーリ１２３による動力を、動力伝達ベルト１２２がハブクリーナプーリ１２１に伝達し、このハブクリーナプーリ１２１に連動してハブクリーナ１４１が回転することにより、クランプハブ１６１の上面のダストなどを拭き取ることができる。また、リリースモータ１３３の働きにより、ディスククランプの際には動力伝達ベルト１２２を弛ませて、クリーニングプーリ１２３からハブクリーナプーリ１２１に対する動力の伝達を解除することができる。
【００４０】
なお、この第二の構成例においては、第一の構成例と同様に回転車１４３による動力を利用してもよく、また、別途設けたクリーナ用モータによりクリーニングプーリ１２３を回転させるようにしてもよい。
【００４１】
図８および図９は、本発明の実施の形態におけるディスク装置の第三の構成例を示す図である。この例では第二の構成例と同様の構成を備えるが、第二の構成例とは異なり、ハブクリーナプーリ１２４と動力伝達プーリ１２５とが直接接触することにより動力を伝達するように構成されている。このような接触による動力伝達を容易にするために、ハブクリーナプーリ１２４および動力伝達プーリ１２５の周囲にはゴムや歯車などの摩擦力の強い部材を設けることが望ましい。
【００４２】
リリースモータ１３３は、ディスククランプ直前に、クリーニングユニットプレート１２９を移動させることにより、ハブクリーナプーリ１２４と動力伝達プーリ１２５との間の接触を解除する。これにより、動力伝達プーリ１２５からハブクリーナプーリ１２４に対する動力の伝達を解除する。
【００４３】
すなわち、本発明の実施の形態における第二の構成例によれば、動力伝達プーリ１２５による動力を直接的にハブクリーナプーリ１２４に伝達し、このハブクリーナプーリ１２４に連動してハブクリーナ１４１が回転することにより、クランプハブ１６１の上面のダストなどを拭き取ることができる。また、リリースモータ１３３の働きにより、ディスククランプの際にはハブクリーナプーリ１２４と動力伝達プーリ１２５との間の接触を解除することにより、動力伝達プーリ１２５からハブクリーナプーリ１２４に対する動力の伝達を解除することができる。
【００４４】
図１０および図１１は、本発明の実施の形態におけるディスク装置の第四の構成例を示す図である。この例ではクランプハブ１６１の上面にハブカバー１２６が被さっている。ハブカバー１２６は２つに分かれており、それぞれがカバー取付板１３５に取り付けられている。なお、図１１ではクランプハブ１６１を図示するために便宜上片方のハブカバー１２６を省略している。
【００４５】
２つのカバー取付板１３５は、互いにバネ１３６によって横方向に引き寄せるように接続されている。また、これら２つのカバー取付板１３５は、それぞれ縦回転ピン１３７によって縦方向に回転自在に支持されている。さらに、２つの縦回転ピン１３７の取り付けられた部材はそれぞれ２つの横回転シャフト１３８の一端に接続されており、横方向に回転自在に支持されている。また、２つの横回転シャフト１３８の他端は、ともにカバー台座１３９に固定されている。このカバー台座１３９は、ベースプレート１０４に取り付けられている。
【００４６】
なお、トレイガイド１８１は、ガイドプレート１８２によってベースプレート１０４に取り付けられる。また、スレッドユニット１９０は、スレッドモータおよびボールネジを内蔵して、クランプハブ１６１に接続するクランプ部を光ディスクの半径方向に移動させるものである。これらの点については説明を省略したが、第一乃至第三の構成例においても同様である。
【００４７】
図１２は、本発明の実施の形態におけるディスク装置の第四の構成例の動作を示す図である。ディスククランプの際には、図１０のようにモータガイドピン１６７が溝１８９に沿って移動することにより、モータホルダ１６６全体が斜め上方にせり上がる。これによってクランプハブ１６１はハブカバー１２６の下面から次第に離脱する。この際、ハブカバー１２６は、クランプハブ１６１の動きに従って左右に開きながら縦方向に移動する。
【００４８】
図１３は、本発明の実施の形態におけるディスク装置の第四の構成例によるハブカバー１２６部分の下面図である。ハブカバー１２６の下面にはクリーナ１２７として、例えば円形のクリーニング素材が設けられる。このクリーニング素材としては、第一乃至第三の構成例と同様に、通常の布であっても一定の効果が期待できるが、布に含まれるダストなどによる影響を回避するためには不織布が望ましい。このクリーナ１２７の下面は、クランプハブ１６１の上面と相対するように配置され、クランプハブ１６１と接することにより清浄動作を行う。この清浄動作は、図１２のようにディスククランプの際のクランプハブ１６１の動きに伴って行われてもよく、また、図１１の状態でクランプハブ１６１が回転することにより行われてもよい。
【００４９】
このように、本発明の実施の形態における第四の構成例によれば、クリーナ１２７を備えるハブカバー１２６をクランプハブ１６１の上面に押し当てることにより、クランプハブ１６１の上面のダストなどを拭き取ることができる。
【００５０】
なお、ここでは、記録媒体として光ディスクを一例として想定して説明した。この光ディスクに対するアクセスを行うための光学系ユニットの構成例を図１４に示す。レーザ光源３３２から入射したレーザ光はコリメータ３３３およびビームディフューザ３３４によって整形され、偏光ビームスプリッタ（ＰＢＳ：Polarizing Beam Splitter）３３５および３３６を介してアクチュエータ３２０に供給される。レーザ光は、アクチュエータ３２０の対物レンズで所定の大きさまで絞り込まれて、光ディスクに照射される。
【００５１】
光ディスクからの反射光は、再び偏光ビームスプリッタ３３６に戻り、集光レンズ３３７を介して信号検知器およびトラッキングエラー検知器３６１に集光される。また、偏光ビームスプリッタ３３６からの光は、偏光ビームスプリッタ３３５によって分光され、集光レンズ３３８を介してギャップエラー検知器３６２およびレーザ光量検知器３６３に供給される。
【００５２】
アクチュエータ３２０には、光ディスクからの反射光を監視するためのカメラ３５１が設けられている。アクチュエータ３２０は、アクチュエータユニット３５２の上部に据えられている。また、このアクチュエータユニット３５２は、さらにアクチュエータホルダユニット３５３に取り付けられている。
【００５３】
アクチュエータ３２０の対物レンズホルダの先端には、光ディスクに対する読み書きを行う対物レンズが設けられている。対物レンズとしては、通常のファーフィールドのレンズを用いてもよいが、高容量および高密度を実現するものとして、固体浸レンズ（ＳＩＬ：Solid Immersion Lens）を用いることができる。このＳＩＬを用いたニアフィールド方式では開口数ＮＡ（Numerical Aperture）が１以上となり、光ディスクと対物レンズとの間の距離が少なくとも数十ナノメートルという極めて狭いギャップになるため、光ディスクに付着しているダスト等が対物レンズに付着する可能性が高くなる。従って、ここで説明した本発明の実施の形態によってダスト等を除去することにより、高い効果が期待できる。
【００５４】
なお、本発明の実施の形態では、クランプ１６０を移動させることにより光ディスクと対物レンズとを接近させることを想定したが、これに限らず、アクチュエータを移動させるようにしてもよい。
【００５５】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００５６】
すなわち、請求項１において、記録媒体装着手段は例えばクランプ１６０に対応する。また、装着部は例えばクランプハブ１６１に対応する。また、清浄手段は例えばハブクリーナ１４１やクリーナ１２７に対応する。
【００５７】
また、請求項３において、クランプ手段は例えばクランプ１６０に対応する。また、クランプハブは例えばクランプハブ１６１に対応する。また、ハブクリーナ手段は例えばハブクリーナ１４１やクリーナ１２７に対応する。
【００５８】
また、請求項６において、ローディング手段は例えばディスクトレイ１１０に対応する。また、第１の滑車は例えばハブクリーナプーリ１２１または１２４に対応する。また、第２の滑車は例えばクリーニングプーリ１２３または動力伝達プーリ１２５に対応する。また、解除手段は例えばリリースバネ１３２またはリリースモータ１３３に対応する。
【００５９】
また、請求項９において、ベルトは例えば動力伝達ベルト１２２に対応する。
【００６０】
また、請求項１４において、縦回転支持手段は例えば縦回転ピン１３７に対応する。また、横回転支持手段は例えば横回転シャフト１３８に対応する。また、引寄せ手段は例えばバネ１３６に対応する。
【００６１】
また、請求項１５において、光学ピックアップ手段は例えばアクチュエータ３２０に対応する。
【００６２】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００６３】
【図１】本発明の実施の形態におけるディスク装置の第一の構成例を示す図である。
【図２】本発明の実施の形態におけるクランプ１６０の断面構成例を示す図である。
【図３】本発明の実施の形態におけるディスク装置の第一の構成例による取付プレート１３１の下面を示す斜視図である。
【図４】本発明の実施の形態におけるディスク装置の第一の構成例によるディスクトレイ１１０の挿入方向から見た斜視図である。
【図５】本発明の実施の形態におけるディスク装置の第一の構成例によるリリースバネ１３２の役割を示す図である。
【図６】本発明の実施の形態におけるディスク装置の第二の構成例を示す斜視図である。
【図７】本発明の実施の形態におけるディスク装置の第二の構成例を示す上面図である。
【図８】本発明の実施の形態におけるディスク装置の第三の構成例を示す斜視図である。
【図９】本発明の実施の形態におけるディスク装置の第三の構成例を示す上面図である。
【図１０】本発明の実施の形態におけるディスク装置の第四の構成例を示す斜視図である。
【図１１】本発明の実施の形態におけるディスク装置の第四の構成例によるクランプ以前の状態を示す図である。
【図１２】本発明の実施の形態におけるディスク装置の第四の構成例によるクランプ直前の状態を示す図である。
【図１３】本発明の実施の形態におけるディスク装置の第四の構成例によるハブカバー１２６部分の下面図である。
【図１４】光ディスクに対するアクセスを行うための光学系ユニットの構成例を示す図である。
【符号の説明】
【００６４】
１０４  ベースプレート
１１０  ディスクトレイ
１１３  溝
１２１、１２４  ハブクリーナプーリ
１２２  動力伝達ベルト
１２３  クリーニングプーリ
１２５  動力伝達プーリ
１２６  ハブカバー
１２７  クリーナ
１２９  クリーニングユニットプレート
１３１  取付プレート
１３２  リリースバネ
１３３  リリースモータ
１３４  溝
１３５  カバー取付板
１３６  バネ
１３７  縦回転ピン
１３８  横回転シャフト
１３９  カバー台座
１４１  ハブクリーナ
１４３  回転車
１６０  クランプ
１６１  クランプハブ
１６３  センターマグネット
１６４  ローター
１６５  モータハウジング
１６６  モータホルダ
１６７  モータガイドピン
１８１  トレイガイド
１８２  ガイドプレート
１８９  溝
１９０  スレッドユニット
２００  ディスク
３２０  アクチュエータ
【図１】
2007095171.tif 000003
【図２】
2007095171.tif 000004
【図３】
2007095171.tif 000005
【図４】
2007095171.tif 000006
【図５】
2007095171.tif 000007
【図６】
2007095171.tif 000008
【図７】
2007095171.tif 000009
【図８】
2007095171.tif 000010
【図９】
2007095171.tif 000011
【図１０】
2007095171.tif 000012
【図１１】
2007095171.tif 000013
【図１２】
2007095171.tif 000014
【図１３】
2007095171.tif 000015
【図１４】
2007095171.tif 000016